(57)【要約】【課題】複数のリンクを含むウエブページにおいて、誤操作による意図しないリンク先への移動を低減することが可能な情報処理装置及びページ表示方法を提供すること。【解決手段】本発明の一実施形態に係る情報処理装置は、オリジナルのハイパーテキスト文書に含まれる文字列又は画像に設定されたハイパーリンクを解析し、ハイパーリンクが複数の色で色分けされてディスプレイモニタに表示されるよう、その解析結果に基づいて新たなハイパーテキスト文書を生成する。そして、この情報処理装置は、生成されたハイパーテキスト文書に対応するウエブページをディスプレイモニタに表示させるとともに、複数の色で色分けされたハイパーリンクのうち、対応する色のハイパーリンクのみが有効なハイパーリンクとして表示される画面に遷移するよう制御するための、複数の色にそれぞれ対応付けられた選択手段をディスプレイモニタに表示させる。【選択図】図４
2010250379.tif 000002
【特許請求の範囲】
【請求項１】
ディスプレイモニタと、
オリジナルのハイパーテキスト文書に含まれる文字列又は画像に設定されたハイパーリンクを解析する解析部と、
前記ハイパーリンクが複数の色で色分けされて前記ディスプレイモニタに表示されるよう、前記解析部による解析結果に基づいて新たなハイパーテキスト文書を生成するハイパーテキスト文書生成部と、
前記ハイパーテキスト文書生成部により生成されたハイパーテキスト文書に対応するウエブページを前記ディスプレイモニタに表示させるとともに、前記複数の色で色分けされたハイパーリンクのうち、対応する色のハイパーリンクのみが有効なハイパーリンクとして表示される画面に遷移するよう制御するための、前記複数の色にそれぞれ対応付けられた選択手段を前記ディスプレイモニタに表示させる表示部と
を具備することを特徴とする情報処理装置。
【請求項２】
前記解析部は、前記オリジナルのハイパーテキスト文書に含まれる文字列又は画像に設定された前記ハイパーリンクが記述された順番と、前記複数の色のうち１つの色とを対応付けることを特徴とする請求項１記載の情報処理装置。
【請求項３】
前記ディスプレイモニタはタッチスクリーン型であることを特徴とする請求項１又は２記載の情報処理装置。
【請求項４】
ディスプレイモニタを備えた情報処理装置で用いられるページ表示方法であって、
オリジナルのハイパーテキスト文書に含まれる文字列又は画像に設定されたハイパーリンクを解析するステップと、
前記ハイパーリンクが複数の色で色分けされて前記ディスプレイモニタに表示されるよう、前記解析するステップでの解析結果に基づいて新たなハイパーテキスト文書を生成するステップと、
前記生成するステップで生成されたハイパーテキスト文書に対応するウエブページを前記ディスプレイモニタに表示させるとともに、前記複数の色で色分けされたハイパーリンクのうち、対応する色のハイパーリンクのみが有効なハイパーリンクとして表示される画面に遷移するよう制御するための、前記複数の色にそれぞれ対応付けられた選択手段を前記ディスプレイモニタに表示させるステップと
を具備することを特徴とするページ表示方法。
【請求項５】
前記解析するステップでは、前記オリジナルのハイパーテキスト文書に含まれる文字列又は画像に設定された前記ハイパーリンクが記述された順番と、前記複数の色のうち１つの色とが対応付けられることを特徴とする請求項４記載のページ表示方法。
【請求項６】
前記ディスプレイモニタはタッチスクリーン型であることを特徴とする請求項４又は５記載のページ表示方法。
【発明の詳細な説明】
【技術分野】
【０００１】
本発明は、情報処理装置及び当該装置におけるページ表示方法に関する。
【背景技術】
【０００２】
一般に、インターネット上等に配置されたサーバ内のウエブページを閲覧するコンピュータのユーザは、ブラウザと呼ばれるソフトウエアを用いて、ウエブページ間を移動するためのハイパーリンク（以下、リンクという）を使用している。ユーザは、このリンク上にフォーカスやポインタを移動させ、キーボードのキーやマウスのボタンを用いて、別のページ又は同じページの異なる場所に移動することができる。
【０００３】
このようなウエブページの中には、非常に小さなリンクが互いに接近して配置されているものがあり、リンクの選択が困難であり、操作性の観点から問題があった。
【０００４】
こうした問題を解決するため、ウエブページ内で定義されたリンクの主入力領域を表示し、主入力領域に関連付けられた補助入力領域（例えばナビゲートボタン）を表示し、補助入力領域を対象とするユーザ入力に応答して、リンク先に移動する技術が提案されている（特許文献１参照）。
【０００５】
また、携帯機器において、表示部に表示されるオブジェクト（リンクの貼られた文字列やサムネイル画像等）の相対位置関係と数字キーとを対応付けて、各オブジェクトに数字キーのいずれかを自動的に割り当てる技術が提案されている（特許文献２参照）。
【先行技術文献】
【特許文献】
【０００６】
【特許文献１】特開２０００−２０７０８９号公報
【特許文献２】特開２００８−１７６５２８号公報
【発明の概要】
【発明が解決しようとする課題】
【０００７】
しかしながら、上述した技術では、表示された補助入力領域又は数字キーを押下することでリンクを一意に指定してしまうことになり、誤操作を防ぐという点については考慮の余地がある。
【０００８】
本発明は、上述の事情を鑑みてなされたものであり、複数のリンクを含むウエブページにおいて、誤操作による意図しないリンク先への移動を低減することが可能な情報処理装置及びページ表示方法を提供することを目的とする。
【課題を解決するための手段】
【０００９】
上述の課題を解決するため、本発明の一態様によれば、ディスプレイモニタと、オリジナルのハイパーテキスト文書に含まれる文字列又は画像に設定されたハイパーリンクを解析する解析部と、前記ハイパーリンクが複数の色で色分けされて前記ディスプレイモニタに表示されるよう、前記解析部による解析結果に基づいて新たなハイパーテキスト文書を生成するハイパーテキスト文書生成部と、前記ハイパーテキスト文書生成部により生成されたハイパーテキスト文書に対応するウエブページを前記ディスプレイモニタに表示させるとともに、前記複数の色で色分けされたハイパーリンクのうち、対応する色のハイパーリンクのみが有効なハイパーリンクとして表示される画面に遷移するよう制御するための、前記複数の色にそれぞれ対応付けられた選択手段を前記ディスプレイモニタに表示させる表示部とを具備する情報処理装置が提供される。
【００１０】
また、本発明の他の態様によれば、ディスプレイモニタを備えた情報処理装置で用いられるページ表示方法であって、オリジナルのハイパーテキスト文書に含まれる文字列又は画像に設定されたハイパーリンクを解析するステップと、前記ハイパーリンクが複数の色で色分けされて前記ディスプレイモニタに表示されるよう、前記解析するステップでの解析結果に基づいて新たなハイパーテキスト文書を生成するステップと、前記生成するステップで生成されたハイパーテキスト文書に対応するウエブページを前記ディスプレイモニタに表示させるとともに、前記複数の色で色分けされたハイパーリンクのうち、対応する色のハイパーリンクのみが有効なハイパーリンクとして表示される画面に遷移するよう制御するための、前記複数の色にそれぞれ対応付けられた選択手段を前記ディスプレイモニタに表示させるステップとを具備するページ表示方法が提供される。
【発明の効果】
【００１１】
本発明によれば、複数のリンクを含むウエブページにおいて、誤操作による意図しないリンク先への移動を低減することが可能な情報処理装置及びページ表示方法を提供することができる。
【図面の簡単な説明】
【００１２】
【図１】本発明の一実施形態に係る情報処理装置を示す斜視図。
【図２】図１の情報処理装置のシステム構成を示すブロック図。
【図３】図１の情報処理装置のシステム構成の一部をより詳細に示すブロック図。
【図４】本実施形態におけるページ表示方法の動作の一例を示すフローチャート。
【図５】本実施形態において、ディスプレイモニタに表示されるスクリーンショットの一例を示す図。
【図６】図５のスクリーンショットにおいて、所定の選択用ボタンが押下された後に表示されるスクリーンショットの一例を示す図。
【発明を実施するための形態】
【００１３】
以下、図面を参照しながら、本発明の実施形態について説明する。
【００１４】
まず、図１及び図２を参照して、本発明の一実施形態に係る情報処理装置の構成について説明する。この情報処理装置は、例えばバッテリ駆動可能なノートブック型パーソナルコンピュータ１００（以下、コンピュータ１００と省略する）として実現される。
【００１５】
図１は、ディスプレイユニットを開いた状態におけるコンピュータ１００の斜視図である。コンピュータ１００は、本体ユニット１０１とディスプレイユニット１０２とから構成される。
【００１６】
ディスプレイユニット１０２には、ＬＣＤ（Liquid Crystal Display）１０３から構成される表示装置が組み込まれている。ＬＣＤ１０３の表示部は、ディスプレイユニット１０２のほぼ中央に配置されている。
【００１７】
ディスプレイユニット１０２は、本体ユニット１０１に支持されており、本体ユニット１０１の上面が露出される開放位置と本体ユニット１０１の上面を覆う閉塞位置との間を本体ユニット１０１に対して回動自在に取り付けられている。
【００１８】
本体ユニット１０１は、薄い箱形の筐体を有しており、本体ユニット１０１の上面には、コンピュータ１００をパワーオン／オフするための電源ボタン１０４、キーボード１０５、及びタッチパッド１０６等が配置されている。
【００１９】
図２は、コンピュータ１００のシステム構成を示すブロック図である。
【００２０】
図２に示されるように、コンピュータ１００は、ＣＰＵ２０１、メインメモリ２０２、ノースブリッジ２０３、グラフィクスコントローラ２０４、ＬＣＤ１０３、ＶＲＡＭ２０５、サウスブリッジ２０６、ＵＳＢコントローラ２０７、ＩＤＥコントローラ２０８、ＵＳＢデバイス２０９、ハードディスクドライブ（ＨＤＤ）２１０、光ディスクドライブ（ＯＤＤ）２１１、ＢＩＯＳ−ＲＯＭ２１２、電源ボタン１０４、キーボード１０５、タッチパッド１０６、組み込みコントローラ／キーボードコントローラ（ＥＣ／ＫＢＣ）２１３、ネットワークインターフェース（Ｉ／Ｆ）２１４、電源回路２２１、バッテリ２２２、及びＡＣアダプタ２２３等を備えている。
【００２１】
ＣＰＵ２０１は、コンピュータ１００の動作全般を制御するプロセッサである。ＣＰＵ２０１は、メインメモリ２０２にロードされたＯＳ及び各種アプリケーションプログラムを実行する。このＯＳ及び各種アプリケーションプログラムは、ＨＤＤ２１０に搭載される磁気ディスク記憶媒体（ハードディスク）等に記憶されており、こうした記憶媒体からメインメモリ２０２にロードされる。
【００２２】
また、ＣＰＵ２０１は、ＢＩＯＳ−ＲＯＭ２１２に格納されたＢＩＯＳプログラム２３０（以下、ＢＩＯＳと呼ぶ）も実行する。ＢＩＯＳ−ＲＯＭ２１２は、プログラム書き換え可能なように、フラッシュＥＥＰＲＯＭのような不揮発性メモリの形態をとる。
【００２３】
ＢＩＯＳ２３０は、コンピュータ１００の各種ハードウエアコンポーネントを制御するプログラムであり、コンピュータ１００の起動時に、ＢＩＯＳ−ＲＯＭ２１２から読み出される。
【００２４】
ノースブリッジ２０３は、ＣＰＵ２０１のローカルバスと、サウスブリッジ２０６とを接続するブリッジデバイスである。ノースブリッジ２０３は、メインメモリ２０２をアクセス制御するメモリコントローラを備えている。また、ノースブリッジ２０３は、ＡＧＰ（Accelerated Graphics Port）バス等を介してグラフィクスコントローラ２０４と通信する機能を有する。
【００２５】
グラフィクスコントローラ２０４は、コンピュータ１００のディスプレイモニタとして使用されるＬＣＤ１０３を制御するコントローラである。このグラフィクスコントローラ２０４は、ＯＳ又はアプリケーションプログラムによってＶＲＡＭ２０５に書き込まれた表示データに対応する映像信号を、ＬＣＤ１０３に出力する。
【００２６】
サウスブリッジ２０６は、ＬＰＣ（Low Pin Count）バス及びＰＣＩ（Peripheral Component Interconnect）バス上の各デバイスを制御する。また、サウスブリッジ２０６は、ＵＳＢデバイス２０９を制御するためのＵＳＢコントローラ２０７と、ＨＤＤ２１０及びＯＤＤ２１１を制御するためのＩＤＥコントローラ２０８とを内蔵している。
【００２７】
ＨＤＤ２１０は、ハードディスクコントローラ及び磁気ディスク記憶媒体を有する記憶装置である。この磁気ディスク記憶媒体には、ＯＳを含む各種ソフトウエア及び各種データが格納される。ＯＤＤ２１１は、ＤＶＤタイトルのようなビデオコンテンツが格納されたＤＶＤや音楽データが格納されたＣＤなどの記憶媒体を駆動するためのドライブユニットである。
【００２８】
ＥＣ／ＫＢＣ２１３は、電力管理のための組み込みコントローラ（ＥＣ）と、キーボード１０５及びタッチパッド１０６を制御するためのキーボードコントローラ（ＫＢＣ）とが集積された１チップマイクロコンピュータである。ＥＣ／ＫＢＣ２１３は、コンピュータ１００の電源がオンされているかオフされているかに関わらず、電源回路２２１からの電力によって常時電源がオンされている。このＥＣ／ＫＢＣ２１３は、ユーザによる電源ボタン１０４の操作に応答して、電源回路２２１と協働してコンピュータ１００の電源をオン／オフする。
【００２９】
ネットワークＩ／Ｆ２１４は、ローカルエリアネットワーク（ＬＡＮ）、広域ネットワーク（ＷＡＮ）、無線ネットワーク、及び公衆ネットワーク（例えばインターネット）に接続するためのインターフェースである。
【００３０】
電源回路２２１は、ＥＣ／ＫＢＣ２１３の制御の下、本体ユニット１０１内に設けられたバッテリ２２２からの電力、又はＡＣアダプタ２２３を介して供給される外部電源からの電力を用いて、コンピュータ１００における各デバイスに電力を供給する。
【００３１】
図３は、コンピュータ１００の構成の一部を、より詳細に示すブロック図である。
【００３２】
送受信部３０１は、ネットワークＩ／Ｆ２１４を介して、サーバや他のネットワークノードにデータの要求をして、当該データを受信したり、そのようなサーバやネットワークノードからの要求に応答して、データを送信したりする。本発明において、送受信部３０１は、サーバに対してウエブページの要求をして、サーバからウエブページ（ハイパーテキスト文書）を受信する。この送受信に際しては、ＨＴＴＰプロトコルが使用される。そして、送受信部３０１は、受信したウエブページ（ハイパーテキスト文書）を、解析部３０２に供給する。
【００３３】
解析部３０２は、送受信部３０１から供給されたハイパーテキスト文書の内容を解析したり、表示部３０６からの指示に応じて、ハイパーテキスト文書履歴記憶部３０５に記憶されたハイパーテキスト文書の内容を解析したりする。具体的には、解析部３０２は、前述のハイパーテキスト文書中に含まれる文字列や画像に設定されたリンク（例えば、ｘｙｚ株式会社</A>といったタグ部分）を順序付け、その順序付けされたリンクの情報をハイパーテキスト文書生成部３０４に供給する。また、解析部３０２は、送受信部３０１から供給されたオリジナルのハイパーテキスト文書を、オリジナルハイパーテキスト文書記憶部３０３に記憶する。
【００３４】
ハイパーテキスト文書生成部３０４は、解析部３０２から供給されたリンクの情報と、オリジナルハイパーテキスト文書記憶部３０３又はハイパーテキスト文書履歴記憶部３０５に記憶されたハイパーテキスト文書とに基づいて、新たなハイパーテキスト文書を生成する。
【００３５】
表示部３０６は、ハイパーテキスト文書生成部３０４により生成されたハイパーテキスト文書に基づいて、ディスプレイモニタ１０３に当該ハイパーテキスト文書に対応するページを表示させる。
【００３６】
なお、周知の通り、リンクは、周囲の文字列や画像等と区別されるよう、例えば、所定の色の下線により強調表示された文字列に対応付けられたり、境界部分が所定の色により強調表示された画像に対応付けられたりしている。
【００３７】
次に、図４〜図７を参照しながら、本実施形態におけるページ表示方法の動作について説明する。
【００３８】
図４は、本実施形態におけるページ表示方法の動作の一例を示すフローチャートである。
【００３９】
まず、ステップＳ４０１において、送受信部３０１は、サーバに所定のウエブページに対する要求を送信する。次いで、送受信部３０１は、当該ウエブページ、すなわち、サーバに保存されているオリジナルのハイパーテキスト文書を受信する（ステップＳ４０２）。
【００４０】
次に、送信部３０１は、そのオリジナルのハイパーテキスト文書を解析部３０２に供給して、解析部３０２は、オリジナルのハイパーテキスト文書をオリジナルハイパーテキスト文書記憶部３０３に記憶する（ステップＳ４０３）。
【００４１】
そして、解析部３０３は、オリジナルのハイパーテキスト文書中に含まれる文字列や画像に設定されたリンク（例えば、ｘｙｚ株式会社</A>といったタグ部分）を順序付け、その順序付けされたリンクの情報をハイパーテキスト文書生成部３０４に供給する（ステップＳ４０４）。
【００４２】
次に、ハイパーテキスト文書生成部３０４は、解析部３０２から供給されたリンクの情報と、オリジナルハイパーテキスト文書記憶部３０３に記憶されたオリジナルのハイパーテキスト文書とに基づいて、新たなハイパーテキスト文書を生成し（ステップＳ４０５）、そのハイパーテキスト文書をハイパーテキスト文書履歴記憶部３０５に記憶する（ステップＳ４０６）。なお、ハイパーテキスト文書生成部３０４は、新たなハイパーテキスト文書を生成するたびに、そのハイパーテキスト文書をハイパーテキスト文書履歴記憶部３０５に記憶していく。
【００４３】
次いで、表示部３０６は、ハイパーテキスト文書生成部３０４により生成されたハイパーテキスト文書に基づいて、当該ハイパーテキスト文書に対応するページをディスプレイモニタ１０３に表示させる（ステップＳ４０７）。
【００４４】
ここで、図５を参照して、解析部３０２がオリジナルのハイパーテキスト文書を解析して、ハイパーテキスト文書生成部３０４が最初に生成するハイパーテキスト文書について説明する。図５は、ハイパーテキスト文書生成部３０４が最初に生成するハイパーテキスト文書に対応するページのスクリーンショット５００の一例を示している。
【００４５】
まず、オリジナルのハイパーテキスト文書では、図５の文字列５０６〜５０８、５１７及び５１８、並びに画像５０９〜５１６にリンクが設定されている。
【００４６】
解析部３０２は、オリジナルのハイパーテキスト文書において順番に記述されたリンクのコードを順序付ける。すなわち、図５の例では、文字列５０６が１、文字列５０７が２、文字列５０８が３、画像５０９が４、画像５１０が５、・・・、画像５１６が１１、文字列５１７が１２、文字列５１８が１３に対応付けられる。そして、解析部３０２は、この対応情報をハイパーテキスト文書生成部３０４に供給する。
【００４７】
次いで、ハイパーテキスト文書生成部３０４は、供給されたリンクに関する対応情報を、予め定められた数（本例では３）のグループに分類し、リンクされていることを示す文字列の下線及び画像の境界線が上記の予め定められた数の色で表示されるよう、ハイパーテキスト文書を生成する。本例では、１，４，７，１０，１３の番号が対応付けられた文字列の下線又は画像の境界線は青で表示され、２，５，８，１１の番号が対応付けられた文字列の下線又は画像の境界線は赤で表示され、３，６，９，１２の番号が対応付けられた文字列の下線又は画像の境界線は緑で表示される。
【００４８】
また、ハイパーテキスト文書生成部３０４は、図５の上部左側に示されるように、上記の青に対応するボタン５０１、上記の赤に対応するボタン５０２、及び上記の緑に対応するボタン５０３も表示されるよう、ハイパーテキスト文書を生成する。
【００４９】
これらのボタン５０１〜５０３はそれぞれ、ユーザにより押下された場合、次に遷移する画面が、対応する色のリンクが有効なものとして、かつ対応しない色のリンクは無効なものとして表示されるよう設定される。すなわち、例えばボタン５０１が押下された場合、
次に遷移する画面では、青線の文字列及び画像のリンクのみが有効なものとして表示され、赤線及び緑線の文字列及び画像のリンクは、無効なものとして表示される。
【００５０】
以上の説明において、本例では３つのグループ（色）に分類されるよう示したが、グループ（色）の数は、３つに限定されるものではない。
【００５１】
再度図４に戻ると、ステップＳ４０７に続いて、解析部３０２は、図５に示した選択用ボタン５０１〜５０３（本発明の選択手段）のうちいずれか１つが押下されたかどうかを判定する（ステップＳ４０８）。
【００５２】
選択用ボタン５０１〜５０３のうちいずれか１つが押下された場合（ステップＳ４０８のＹＥＳ）、解析部３０２は、ハイパーテキスト文書履歴記憶部３０５に最後に記憶されたハイパーテキスト文書中に含まれる文字列や画像に設定されたリンクを順序付け、その順序付けされたリンクの情報をハイパーテキスト文書生成部３０４に供給する（ステップＳ４０４）。
【００５３】
以後、ハイパーテキスト文書生成部による新たなハイパーテキスト文書の生成（ステップＳ４０５）、ハイパーテキスト文書履歴記憶部３０５への新たなハイパーテキスト文書の記憶（ステップＳ４０６）、新たなハイパーテキスト文書に対応するページの表示（ステップＳ４０７）、選択用ボタンの押下の判定（ステップＳ４０８）が繰り返される。
【００５４】
このような処理が繰り返された場合の、ハイパーテキスト文書生成部３０４が生成するハイパーテキスト文書に対応するページのスクリーンショット６００の一例を、図６に示している。図６は、図５に示された画面において、所定の選択用ボタン（本例ではボタン５０１）が押下された後に表示されるスクリーンショット６００の一例である。
【００５５】
上述したように、解析部３０２は、ハイパーテキスト文書履歴記憶部３０５に最後に記憶されたハイパーテキスト文書において順番に記述されたリンクのコードを順序付ける。すなわち、図６の例では、文字列５０６が１、画像５０９が２、画像５１２が３、画像５１５が４、文字列５１８が５に対応付けられる。そして、解析部３０２は、この対応情報をハイパーテキスト文書生成部３０４に供給する。
【００５６】
次いで、ハイパーテキスト文書生成部３０４は、供給されたリンクに関する対応情報を、予め定められた数（本例では３）のグループに分類し、リンクされていることを示す文字列の下線及び画像の境界線が上記の予め定められた数の色で表示されるよう、ハイパーテキスト文書を生成する。本例では、１，４の番号が対応付けられた文字列の下線又は画像の境界線は青で表示され、２，５の番号が対応付けられた文字列の下線又は画像の境界線は赤で表示され、３の番号が対応付けられた文字列の下線又は画像の境界線は緑で表示される。
【００５７】
また、ハイパーテキスト文書生成部３０４は、図６の上部左側に示されるように、上記の青に対応するボタン５０１、上記の赤に対応するボタン５０２、及び上記の緑に対応するボタン５０３も表示されるよう、ハイパーテキスト文書を生成する。
【００５８】
これらのボタン５０１〜５０３はそれぞれ、ユーザにより押下された場合、次に遷移する画面が、対応する色のリンクが有効なものとして、かつ対応しない色のリンクは無効なものとして表示されるよう設定される。すなわち、例えばボタン５０１が押下された場合、
次に遷移する画面では、青線の文字列及び画像のリンクのみが有効なものとして表示され、赤線及び緑線の文字列及び画像のリンクは、無効なものとして表示されるようになる。
【００５９】
さらに、ハイパーテキスト文書生成部３０４は、図６の上部右側に示されるように、ボタン５０４及び５０５も表示されるよう、ハイパーテキスト文書を生成する。このようにして生成されたハイパーテキスト文書が、ハイパーテキスト文書履歴記憶部３０５に記憶される。
【００６０】
ここで、ボタン５０４が押下されると、表示部３０６は、現在のハイパーテキスト文書の直前にハイパーテキスト文書履歴記憶部３０５に記憶されたハイパーテキスト文書に対応するページをディスプレイモニタ１０３に表示させる。また、ボタン５０５が押下されると、表示部３０６は、最初にハイパーテキスト文書履歴記憶部３０５に記憶されたハイパーテキスト文書に対応するページをディスプレイモニタ１０３に表示させる。
【００６１】
再度図４に戻ると、ステップＳ４０８において選択用ボタンが押下されず、あるリンクが押下されたり、クリックされたりして選択されると（ステップＳ４０９）、送受信部３０１が、そのリンクに対応するウエブページをサーバに要求する（ステップＳ４０１）。
【００６２】
本実施形態によれば、上述したリンクを無効にする処理により、ユーザの誤操作を低減することが可能となる。さらに、複数の近接するリンクがウエブページに含まれている場合でも、上述したリンクを無効にする処理を繰り返すことで、ユーザの誤操作をより低減することが可能となる。
【００６３】
以上、本発明の好適な実施形態について説明したが、本発明は、上記実施形態そのままに限定されるものではなく、その要旨を逸脱しない範囲で構成要素を変形して具体化できる。
【００６４】
例えば、上記実施形態では、ハイパーテキスト文書に記述された順番に応じてリンクを色分けしているが、ディスプレイモニタに表示される座標の近接度に応じてリンクを色分けしてもよい。
【００６５】
また、上記実施形態では、ハイパーテキスト文書により実装されたボタン５０１〜５０５を使用しているが、このようなボタンは、アプリケーションのツールバー上に配置してもよい。
【００６６】
また、本発明は、上記実施形態で説明したノートブック型パーソナルコンピュータの他にも、デスクトップ型パーソナルコンピュータ、携帯電話機、携帯情報端末（ＰＤＡ）、ゲーム機、テレビ等の様々な情報処理装置に適用することができる。特に、携帯電話機やＰＤＡといった比較的小さなディスプレイモニタを有するタッチスクリーン型の携帯機器において、本発明は効果的である。
【００６７】
また、上記実施形態において記載した処理は、コンピュータに実行させることができるプログラムとして、例えば磁気ディスク（フレキシブルディスク、ハードディスク等）、光ディスク（ＣＤ−ＲＯＭ、ＤＶＤ等）、半導体メモリ等の記録媒体に書き込んで各種装置に提供することができる。また、通信媒体により伝送して各種装置に提供することも可能である。コンピュータは、記録媒体に記録されたプログラムを読み込み、又は通信媒体を介してプログラムを受信し、このプログラムによって動作が制御されることにより、上述した処理を実行する。
【符号の説明】
【００６８】
１００  コンピュータ
１０１  本体ユニット
１０２  ディスプレイユニット
１０３  ＬＣＤ
１０４  電源ボタン
１０５  キーボード
１０６  タッチパッド
２０１  ＣＰＵ
２０２  メインメモリ
２０３  ノースブリッジ
２０６  サウスブリッジ
２１２  ＢＩＯＳ−ＲＯＭ
２１３  ＥＣ／ＫＢＣ
２１４  ネットワークＩ／Ｆ
２３０  ＢＩＯＳ
３０１  送受信部
３０２  解析部
３０３  オリジナルハイパーテキスト文書記憶部
３０４  ハイパーテキスト文書生成部
３０５  ハイパーテキスト文書履歴記憶部
３０６  表示部
【図１】
2010250379.tif 000003
【図２】
2010250379.tif 000004
【図３】
2010250379.tif 000005
【図４】
2010250379.tif 000006
【図５】
2010250379.tif 000007
【図６】
2010250379.tif 000008